(57)【要約】【課題】液体の回収率を向上させると共に、回収した液体を容易に処分することができる液体吸引装置を提供すること。【解決手段】電動送風機８の上流側に有底筒状のサイクロン筒９を略直立して設け、このサイクロン筒９の下方に貯液容器２２を設け、前記サイクロン筒９の側壁１１に、運転時に大部分の汚水Ｗが遠心力によって前記貯液容器２２に排出されると共に一部の汚水Ｗが前記サイクロン筒９内に留まるように、第一の排液孔１３を前記側壁１１の下端から距離を隔てて形成し、前記サイクロン筒９の底壁１０に第二の排液孔１４を設けたものであり、吸引した気液混合物から汚水Ｗを遠心分離すると共に、霧状の汚水Ｗを前記サイクロン筒９内に留まる汚水Ｗに吸着させることで、気液混合物から汚水Ｗが良好に分離される。また、運転を停止すると、前記サイクロン筒９内の汚水Ｗが、前記第二の排液孔１４から前記貯液容器２２に排出される。【選択図】  図２
2005007066.tif 000002
【特許請求の範囲】
【請求項１】
電動機とファンからなる電動送風機と、この電動送風機の上流側に略直立して設けられた有底形状のサイクロン筒と、このサイクロン筒の下方に設けられた貯液容器とを有する液体吸引装置において、前記サイクロン筒の側壁の下端近傍に設けられた第一の排液孔と、前記サイクロン筒の底壁に設けられた第二の排液孔とを有し、前記サイクロン筒と貯液容器とが、前記第一及び第二の排液孔を介して連通していると共に、運転時に、吸引された液体の大部分が遠心力によって前記第一の排液孔から前記貯液容器に排出され、且つ、吸引された液体の一部が前記第一の排液孔の下方に留まるように、前記第一の排液孔を前記サイクロン筒の側壁の下端から距離を隔てて形成したことを特徴とする液体吸引装置。
【請求項２】
電動機とファンからなる電動送風機と、この電動送風機の上流側に略直立して設けられた有底形状のサイクロン筒と、このサイクロン筒の下方に設けられた貯液容器とを有する液体吸引装置において、前記サイクロン筒の側壁の下端近傍に設けられた第一の排液孔と、前記サイクロン筒の底壁に設けられた第二の排液孔とを有し、前記サイクロン筒と貯液容器とが、前記第一及び第二の排液孔を介して連通していると共に、前記サイクロン筒の側壁の内面に、前記第一の排液孔を避ける形状で且つ略周方向に延びた溝部を形成したことを特徴とする液体吸引装置。
【請求項３】
前記サイクロン筒の底壁の最低部に前記第二の排液孔を形成したことを特徴とする請求項１乃至２記載の液体吸引装置。
【発明の詳細な説明】
【０００１】
【発明が属する技術分野】
本発明はサイクロン装置によって、吸引された気液混合物から気体と液体とを分離する液体吸引装置に関するものである。
【０００２】
【発明が解決しようとする課題】
従来この種の液体吸引装置としては、例えば以下のものが知られている。
【特許文献１】
特開２００１−１８７３５３号公報
【特許文献２】
特許３３５００２５号公報
前者は、ブロアー（本発明の電動送風機に相当する）によって吸引された気体を含む霧状の汚水を、分離装置本体（本発明のサイクロン筒に相当する）によって気体と液状の汚水とに遠心分離し、分離された汚水を汚水回収タンク（本発明の貯液容器に相当する）で回収するものである。なお、前記分離装置本体によって分離された液状の汚水は、前記分離装置本体に形成された長穴及び切欠部（本発明の第二の排液孔に相当する）から前記汚水回収タンクに排出される。また、後者は、電動送風機によって吸引された濡れたごみや泥水を、床ノズルが形成された円筒集塵部（本発明のサイクロン筒に相当する）によって気流から遠心分離すると共に、分離された濡れたごみや泥水を、前記円筒集塵部の側壁に対して着脱自在に設けられた捕集室（本発明の貯液容器に相当する）に、孔部（本発明の第二の排液孔に相当する）を介して溜めるものである。なお、この孔部は、円筒集塵部の上部に形成されている。
【０００３】
しかしながら、前者の液体吸引装置においては、分離装置本体内で分離しきれず外部に放出されてしまう虞があった。これは、霧状の水が比較的軽いため、遠心力によって分離装置本体の内壁に押し付けられず、気流と共に流れる可能性があるためである。また、後者の液体吸引装置においては、吸引された濡れたごみや泥水の大部分が捕集室に入り込み、一部の霧状の水が円筒集塵部の底に溜まり、この水に霧状の水が吸着されることで水の回収率が向上することを期待できるが、この場合、捕集室ではなく円筒集塵部内で水が溜まってしまうので、溜まった水の処分が面倒であった。
【０００４】
本発明は以上の問題点を解決し、液体の回収率を向上させると共に、回収した液体を容易に処分することができる液体吸引装置を提供することを目的とする。
【０００５】
【課題を解決するための手段】
本発明の請求項１に記載の液体吸引装置は、電動機とファンからなる電動送風機と、この電動送風機の上流側に略直立して設けられた有底形状のサイクロン筒と、このサイクロン筒の下方に設けられた貯液容器とを有する液体吸引装置において、前記サイクロン筒の側壁の下端近傍に設けられた第一の排液孔と、前記サイクロン筒の底壁に設けられた第二の排液孔とを有し、前記サイクロン筒と貯液容器とが、前記第一及び第二の排液孔を介して連通していると共に、運転時に、吸引された液体の大部分が遠心力によって前記第一の排液孔から前記貯液容器に排出され、且つ、吸引された液体の一部が前記第一の排液孔の下方に留まるように、前記第一の排液孔を前記サイクロン筒の側壁の下端から距離を隔てて形成したものである。
【０００６】
本発明は以上のように構成することにより、前記電動送風機を作動させることで液体吸引装置を運転し、気液混合物を吸引させると、前記サイクロン筒内で渦流が発生し、霧状の液体が気体から遠心分離されると共に、この液体に対して霧状の液体が吸着することで、気液混合物中の液体が気体から良好に分離し、一部の液体を残して前記第一の排液孔から前記貯液容器内に排出される。また、前記電動送風機を停止させると、前記サイクロン筒内の渦流が消滅し、遠心力によってサイクロン筒の側壁に押し付けられていた液体が、前記第二の排液孔から前記貯液容器内に排出される。
【０００７】
また、本発明の請求項２に記載の液体吸引装置は、電動機とファンからなる電動送風機と、この電動送風機の上流側に略直立して設けられた有底形状のサイクロン筒と、このサイクロン筒の下方に設けられた貯液容器とを有する液体吸引装置において、前記サイクロン筒の側壁の下端近傍に設けられた第一の排液孔と、前記サイクロン筒の底壁に設けられた第二の排液孔とを有し、前記サイクロン筒と貯液容器とが、前記第一及び第二の排液孔を介して連通していると共に、前記サイクロン筒の側壁の内面に、前記第一の排液孔を避ける形状で且つ略周方向に延びた溝部を形成したものである。
【０００８】
本発明は以上のように構成することにより、前記電動送風機を作動させることで液体吸引装置を運転し、気液混合物を吸引させると、前記サイクロン筒内で渦流が発生し、霧状の液体が気体から遠心分離されると共に、この液体に対して霧状の液体が吸着することで、気液混合物中の液体が気体から良好に分離し、溝部にある一部の液体を残して前記第一の排液孔から前記貯液容器内に排出される。また、前記電動送風機を停止させると、前記サイクロン筒内の渦流が消滅し、遠心力によってサイクロン筒の側壁に押し付けられていた液体が、前記第二の排液孔から前記貯液容器内に排出される。
【０００９】
更に、本発明の請求項３に記載の液体吸引装置は、請求項１乃至２において、前記サイクロン筒の底壁の最低部に前記第二の排液孔を形成したものである。
【００１０】
本発明は以上のように構成することにより、前記電動送風機を停止させて前記サイクロン筒内の渦流を消滅させた際に、前記サイクロン筒内の液体が、前記第二の排液孔から前記貯液容器内に確実に排出される。
【００１１】
【発明の実施形態】
以下、本発明の第一の実施形態について、図１乃至図４に基づいて説明する。なお、以下の実施形態において、図１の姿勢を基準として上下を規定する。１は液体吸引装置のケーシングである。このケーシング１は、上ケーシング２と、中ケーシング３と、下ケーシング４とで構成されている。そして、前記下ケーシング４の下方には、キャスター５が取り付けられている。
【００１２】
前記上ケーシング２の内部には、電動機６と、この電動機６の出力軸６Ａに取り付けられたファン７とから成る電動送風機８が収容されている。また、前記中ケーシング３の内部には、サイクロン筒９が直立して設けられている。このサイクロン筒９は、上方が開放しており、下方がやや細く且つ有底に形成されていると共に、底壁１０の中央が最も低くなるように形成されている。そして、前記サイクロン筒９の側壁１１の上部には、この側壁１１の接線方向に沿うように、導入管１２が一体に形成されている。なお、この導入管１２は、先端側が放射方向に延びるように形成されていると共に、前記中ケーシング３の内側で屈曲し、基端側が前記側壁１１の接線方向に沿うように形成されている。また、前記導入管１２の先端側には、図示しない吸込具が着脱自在に接続される。そして、前記側壁１１の下部には、第一の排液孔１３が形成されている。この第一の排液孔１３は、前記側壁１１の下端よりもやや上方に形成されている。また、前記底壁１０の最低部である中央には、第二の排液孔１４が形成されている。なお、前記底壁１０は、その最低部である中央に向かって順次低くなるように形成されている。更に、前記サイクロン筒９の上部中央には、このサイクロン筒９の上方開口を塞ぐように、蓋体１５が形成されている。この蓋体１５の中央には、前記サイクロン筒９の内部と電動送風機８とを流体的に連通させるように、連通孔１６が形成されている。そして、この連通孔１６を囲むように、整流筒１７が下方に延びて形成されている。また、前記蓋体１５の連通孔１６を囲むように、第一のシール部材１８が上方に延びて形成されていると共に、前記蓋体１５の外周に第二のシール部材１９が形成されている。そして、前記第一のシール部材１８は、中央に連通孔２０が形成された区画板２１に、前記連通孔２０を囲んで当接する。なお、前記連通孔２０は、前記上ケーシング２と区画板２１とで区画されて前記電動送風機８が設けられた領域の内外を連通するものである。従って、前記第一のシール部材１８が前記連通孔２０を囲んで前記区画板２１に当接すると、前記サイクロン筒９から整流筒１７、連通孔１６、第一のシール部材１８及び連通孔２０を経て、前記電動送風機８に至る経路がシールされる。また、前記第二のシール部材１９は、前記サイクロン筒９の側壁１１の上部内周に当接して、前記サイクロン筒９と蓋体１５との隙間をシールする。従って、これらの両シール部材１８，１９によって、前記導入管１２からサイクロン筒９を経て前記電動送風機８に至る経路がシールされることになる。
【００１３】
また、前記下ケーシング４には、前記サイクロン筒９の側面の下部及び底面を覆うように、貯液容器２２が設けられている。この貯液容器２２は、その上部に前記サイクロン筒９の側壁１１の外周面に当接する当接部２３が形成されていると共に、この当接部２３に、前記サイクロン筒９と当接部２３の隙間をシールするシール部材（図示せず）が設けられている。なお、前記当接部２３は、前記サイクロン筒９の側壁１１に形成された第一の排液孔１３よりも高い位置で、前記サイクロン筒９の側壁１１外周と接触するように構成されている。即ち、前記第一の排液孔１３は、前記貯液容器２２によって覆われ、これによって、前記第一の排液孔１３を介して、前記サイクロン筒９の内部と貯液容器２２の内部が連通している。また、前記第二の排液孔１４も、前記貯液容器２２によって覆われ、これによって、前記サイクロン筒９の底壁１０の中央に形成された第二の排液孔１４を介して、前記サイクロン筒９の内部と貯液容器２２の内部が連通している。
【００１４】
次に、本実施形態の作用について説明する。まず、使用者が液体吸引装置の前記電動送風機８を作動させることで液体吸引装置を運転し、前記導入管１２に接続された図示しない吸込具から、汚れを含んだ水Ｗ（以下、汚水Ｗと記す）を吸引する。なお、この吸引された汚水Ｗは、前記電動送風機８が発生させた気流によって霧状となって分散し、気液混合物となる。そして、前記導入管１２の基端側が前記サイクロン筒９の側壁１１の接線方向に形成されていることから、前記気液混合物は、前記サイクロン筒９内で渦流Ｖとなる。そして、前記サイクロン筒９内で、渦流Ｖとなった前記気液混合物から汚水Ｗが遠心分離され、この遠心分離された汚水Ｗが前記サイクロン筒９の側壁１１の内面に押し付けられると共に、前記渦流Ｖによって前記側壁１１の内面に沿って回転し、また、重力によって流下する。このため、前記汚水Ｗは、前記サイクロン筒９の側壁１１の内面に沿って螺旋状に降下し、前記第一の排液孔１３から貯液容器２２内に排出される。そして、この排出された汚水Ｗは、前記貯液容器２２に溜められる。なお、前記汚水Ｗは、遠心力によって前記側壁１１に沿って回転しているため、前記底壁１０の中央に形成された第二の排液孔１４から排出されることがない。また、前記汚水Ｗが除かれた気流は、前記サイクロン筒９内から整流筒１７、連通孔１６、第一のシール部材１８、連通孔２０を経て、前記電動送風機８に流れる。
【００１５】
なお、前述したように、分離された汚水Ｗは、側壁１１の内面に沿って螺旋状に降下するが、前記第一の排液孔１３が前記サイクロン筒９の側壁１１の下端よりもやや上方に形成されているので、前記側壁１１と底壁１０の境界付近に、前記第一の排出孔１３から排出されずに留まって回転し続ける少量の汚水Ｗが存在することになる。そして、このように前記サイクロン筒９内に留まって回転し続ける少量の汚水Ｗが存在することによって、この分離されて前記サイクロン筒９内に留まる少量の汚水Ｗに気液混合物中の霧状の汚水Ｗが吸着されることになり、気液混合物からの汚水Ｗの回収率が向上する。即ち、軽い霧状の汚水Ｗが前記サイクロン筒９で分離されず、気流に乗って前記サイクロン筒９から電動送風機８を経て前記ケーシング１外に放出されてしまうという虞を減ずることができる。なお、前記サイクロン筒９の側壁１１の下端から前記第一の排液口１３までの距離が短すぎると、前記汚水Ｗが前記サイクロン筒９内に残らず、全て第一の排液孔１３から排出されてしまうので、前記サイクロン筒９の側壁１１の下端から前記第一の排液孔１３までの距離は、前記サイクロン筒９内に汚水Ｗが留まることができる程度の長さに形成される。従って、液体吸引装置の駆動時には、遠心力によって、また、少量の汚水Ｗに霧状の汚水Ｗが吸着されることによって、吸引された気液混合物から汚水Ｗが順次分離されると共に、この分離された汚水Ｗが、少量を前記サイクロン筒９内に残して前記第一の排液孔１３から貯液容器２２へ順次排出され、この貯液容器２２に溜められる。そして、前記サイクロン筒９内は、少量を除いて汚水Ｗが殆ど溜まることがなく、前記サイクロン筒９内部の有効高さが殆ど変化しないので、サイクロン筒９の有効高さが低くなることによる汚水Ｗの回収率の低下が防止される。
【００１６】
そして、使用者が液体吸引装置の前記電動送風機８を停止させると、前記サイクロン筒９内の渦流Ｖが消滅する。このため、遠心力によって前記サイクロン筒９の側壁１１に押し付けられていた汚水Ｗは、遠心力が消滅するため、前記側壁１１から底壁１０に流下し、この底壁１０の最低部である中央に形成された第二の排液孔１４から前記貯液容器２２に排出されることになる。このため、液体吸引装置の停止時において、前記サイクロン筒９内に汚水Ｗを殆ど残さないようにすることができる。そして、前記貯液容器２２内に溜められた汚水Ｗは、図示しないドレンから簡単に排出することができる。
【００１７】
以上のように本発明は、電動送風機８の上流側に有底形状のサイクロン筒９を略直立して設け、このサイクロン筒９の下方に貯液容器２２を設け、前記サイクロン筒９の側壁１１に、運転時に汚水Ｗの大部分が遠心力によって貯液容器２２に排出されると共に一部少量の汚水Ｗが貯液容器２２に排出されずに前記サイクロン筒９内に留まる程度の高さに、前記第一の排液孔１３を形成し、更に前記サイクロン筒９の底壁１０に第二の排液孔１４を設けたものであり、前記電動送風機８を作動させることで液体吸引装置を運転し、吸引した気液混合物から汚水Ｗを遠心分離すると共に、遠心分離されなかった霧状の汚水Ｗを分離された汚水Ｗに吸着させることで、気液混合物から汚水Ｗが良好に分離され、第一の排液孔１３から貯液容器２２に排出される。また、前記電動送風機８を停止させることで、サイクロン筒９内に残っていた汚水Ｗが、前記第二の排液孔１４から前記貯液容器２２に排出される。
【００１８】
また本発明は、前記第二の排液孔１４を、前記サイクロン筒９の底壁１０の最低部である中央に形成したものであり、前記電動送風機８を停止させると、前記サイクロン筒９内の汚水Ｗが、前記第二の排液孔１４から前記貯液容器２２内に確実に排出される。
【００１９】
次に、本発明の第二の実施形態について、図５に基づいて説明する。なお、上記第一の実施形態と共通する部分については同一の符号を付し、その説明を省略する。前記中ケーシング３の内部には、サイクロン筒３０が直立して設けられている。このサイクロン筒３０は、上方が開放しており、下方がやや細く且つ有底に形成されていると共に、底壁３１の中央が最も低くなるように形成されている。そして、前記サイクロン筒３０の側壁３２の上部には、この側壁３２の接線方向に沿うように、導入管１２が一体に形成されている。なお、この導入管１２は、先端側が放射方向に延びるように形成されていると共に、前記中ケーシング３の内側で屈曲し、基端側が前記側壁３２の接線方向に沿うように形成されている。そして、前記側壁３２の下部には、第一の排液孔３３が形成されている。この第一の排液孔３３は、前記側壁３２の下端よりもやや上方に形成されている。また、前記底壁３１の最低部である中央には、第二の排液孔３４が形成されている。なお、前記底壁３１は、その最低部である中央に向かって順次低くなるように形成されている。更に、前記側壁３２の下端近傍で且つ前記第一の排液孔３３の下方には、前記側壁３２の周方向に溝部３５が形成されている。
【００２０】
また、前記下ケーシング４には、前記サイクロン筒３０の側面の下部及び底面を覆うように、貯液容器２２が設けられている。なお、前記当接部２３は、前記サイクロン筒３０の側壁３２に形成された第一の排液孔３３よりも高い位置で、前記サイクロン筒３０の側壁３２外周と接触するように構成されている。即ち、前記第一の排液孔３３は、前記貯液容器２２によって覆われ、これによって、前記第一の排液孔３３を介して、前記サイクロン筒３０の内部と貯液容器２２の内部が連通している。また、前記第二の排液孔３４も、前記貯液容器２２によって覆われ、これによって、前記サイクロン筒３０の底壁３１の中央に形成された第二の排液孔３４を介して、前記サイクロン筒３０の内部と貯液容器２２の内部が連通している。
【００２１】
次に、本実施形態の作用について説明する。まず、使用者が液体吸引装置の前記電動送風機８を作動させることで液体吸引装置を運転し、前記導入管１２に接続された図示しない吸込具から、汚水Ｗを吸引する。そして、前記導入管１２の基端側が前記サイクロン筒３０の側壁３２の接線方向に形成されていることから、前記気液混合物は、前記サイクロン筒３０内で渦流Ｖとなる。そして、前記サイクロン筒３０内で、渦流Ｖとなった前記気液混合物から汚水Ｗが遠心分離され、この遠心分離された汚水Ｗが前記サイクロン筒３０の側壁３２の内面に押し付けられると共に、前記渦流Ｖによって前記側壁３２の内面に沿って回転し、また、重力によって流下する。このため、前記汚水Ｗは、前記サイクロン筒３０の側壁３２の内面に沿って螺旋状に降下し、前記第一の排液孔３３から貯液容器２２内に排出される。なお、前記汚水Ｗは、遠心力によって前記側壁３２に沿って回転しているため、前記底壁３１の中央に形成された第二の排液孔３４から排出されることがない。
【００２２】
なお、前述したように、分離された汚水Ｗは、側壁３２の内面に沿って螺旋状に降下するが、前記側壁３２の下端近傍で且つ第一の排出孔３３の下方に、前記側壁３２の周方向に溝部３５が形成されているので、一部少量の前記汚水Ｗが前記溝部３５で回転し続けることで、前記サイクロン筒９から排出されずに留まって残存することになる。そして、このように前記サイクロン筒９内に留まって回転し続ける少量の汚水Ｗが存在することによって、この分離されて前記サイクロン筒９内に留まる少量の汚水Ｗに気液混合物中の霧状の汚水Ｗが吸着されることになり、気液混合物からの汚水Ｗの回収率が向上する。即ち、軽い霧状の汚水Ｗが前記サイクロン筒３０で分離されず、気流に乗って前記サイクロン筒３０から電動送風機８を経て前記ケーシング１外に放出されてしまうという虞を減ずることができる。従って、液体吸引装置の駆動時には、遠心力によって、また、少量の汚水Ｗに霧状の汚水Ｗが吸着されることによって、吸引された気液混合物から汚水Ｗが順次分離されると共に、この分離された汚水Ｗが、前記溝部３５に残存する少量を残して前記第一の排液孔３３から貯液容器２２へ順次排出され、この貯液容器２２に溜められる。そして、前記サイクロン筒３０内は、少量を除いて汚水Ｗが殆ど溜まることがなく、前記サイクロン筒３０内部の有効高さが殆ど変化しないので、サイクロン筒３０の有効高さが低くなることによる汚水Ｗの回収率の低下が防止される。
【００２３】
そして、使用者が液体吸引装置の前記電動送風機８を停止させると、前記サイクロン筒３０内の渦流Ｖが消滅する。このため、遠心力によって前記サイクロン筒３０の側壁３２に押し付けられていた汚水Ｗは、遠心力が消滅するため、前記側壁３２から底壁３１に流下し、この底壁３１の最低部である中央に形成された第二の排液孔３４から前記貯液容器２２に排出されることになる。このため、液体吸引装置の停止時において、前記サイクロン筒３０内に汚水Ｗを殆ど残さないようにすることができる。
【００２４】
以上のように本発明は、電動送風機８の上流側に有底形状のサイクロン筒３０を略直立して設け、このサイクロン筒３０の下方に貯液容器２２を設け、前記サイクロン筒３０の側壁３２で且つ前記第一の排液孔３３の下方に、この側壁３２の周方向に溝部３５を形成し、更に前記サイクロン筒３０の底壁３１に第二の排液孔３４を設けたものであり、前記電動送風機８を作動させることで液体吸引装置を運転し、吸引した気液混合物から汚水Ｗを遠心分離すると共に、遠心分離されなかった霧状の汚水Ｗを溝部３５に残存する分離された汚水Ｗに吸着させることで、気液混合物から汚水Ｗが良好に分離され、第一の排液孔３３から貯液容器２２に排出される。また、前記電動送風機８を停止させることで、サイクロン筒３０内に残っていた汚水Ｗが、前記第二の排液孔３４から前記貯液容器２２に排出される。
【００２５】
また本発明は、前記第二の排液孔３４を、前記サイクロン筒３０の底壁３１の最低部である中央に形成したものであり、前記電動送風機８を停止させると、前記サイクロン筒３０内の汚水Ｗが、前記第二の排液孔３４から前記貯液容器２２内に確実に排出される。
【００２６】
なお、本発明は以上の実施形態に限定されるものではなく、発明の要旨の範囲内で種々の変形が可能である。例えば、前記側壁から第一の排液孔までの距離は、吸引する液体によって粘度や表面張力等の物性が異なるため、吸引する液体の種類によって適宜変更することになる。また、前記第二の実施形態において、前記溝部は前記第一の排液孔の下方に形成されていたが、前記第一の排液孔の上方に形成しても良い。
【００２７】
【発明の効果】
本発明の請求項１に記載の液体吸引装置は、電動機とファンからなる電動送風機と、この電動送風機の上流側に略直立して設けられた有底形状のサイクロン筒と、このサイクロン筒の下方に設けられた貯液容器とを有する液体吸引装置において、前記サイクロン筒の側壁の下端近傍に設けられた第一の排液孔と、前記サイクロン筒の底壁に設けられた第二の排液孔とを有し、前記サイクロン筒と貯液容器とが、前記第一及び第二の排液孔を介して連通していると共に、運転時に、吸引された液体の大部分が遠心力によって前記第一の排液孔から前記貯液容器に排出され、且つ、吸引された液体の一部が前記第一の排液孔の下方に留まるように、前記第一の排液孔を前記サイクロン筒の側壁の下端から距離を隔てて形成したものであり、前記電動送風機を作動させることで液体吸引装置を運転し、気液混合物を吸引させると、前記サイクロン筒内で渦流が発生し、霧状の液体が気体から遠心分離されると共に、この液体に対して霧状の液体が吸着することで、気液混合物中の液体が気体から良好に分離し、一部の液体を残して前記第一の排液孔から前記貯液容器内に排出されるので、気液混合物からの液体の回収率を向上させることができ、また、前記電動送風機を停止させると、前記サイクロン筒内の渦流が消滅し、遠心力によってサイクロン筒の側壁に押し付けられていた液体が、前記第二の排液孔から前記貯液容器内に排出されるので、前記電動送風機の停止後にサイクロン筒内に残った液体を回収することができる。
【００２８】
また、本発明の請求項２に記載の液体吸引装置は、電動機とファンからなる電動送風機と、この電動送風機の上流側に略直立して設けられた有底形状のサイクロン筒と、このサイクロン筒の下方に設けられた貯液容器とを有する液体吸引装置において、前記サイクロン筒の側壁の下端近傍に設けられた第一の排液孔と、前記サイクロン筒の底壁に設けられた第二の排液孔とを有し、前記サイクロン筒と貯液容器とが、前記第一及び第二の排液孔を介して連通していると共に、前記サイクロン筒の側壁の内面に、前記第一の排液孔を避ける形状で且つ略周方向に延びた溝部を形成したものであり、前記電動送風機を作動させることで液体吸引装置を運転し、気液混合物を吸引させると、前記サイクロン筒内で渦流が発生し、霧状の液体が気体から遠心分離されると共に、この液体に対して霧状の液体が吸着することで、気液混合物中の液体が気体から良好に分離し、溝部にある一部の液体を残して前記第一の排液孔から前記貯液容器内に排出されるので、気液混合物からの液体の回収率を向上させることができ、また、前記電動送風機を停止させると、前記サイクロン筒内の渦流が消滅し、遠心力によってサイクロン筒の側壁に押し付けられていた液体が、前記第二の排液孔から前記貯液容器内に排出される。
【００２９】
また、本発明の請求項３に記載の液体吸引装置は、請求項１乃至２において、前記サイクロン筒の底壁の最低部に前記第二の排液孔を形成したものであり、前記電動送風機を停止させて前記サイクロン筒内の渦流を消滅させた際に、前記サイクロン筒内の液体が、前記第二の排液孔から前記貯液容器内に確実に排出されるので、前記電動送風機の停止後にサイクロン筒内に残った液体を、より確実に回収することができる。
【図面の簡単な説明】
【図１】本発明の第一の実施形態を示す液体吸引装置の正面図である。
【図２】同、Ａ−Ａ断面図である。
【図３】同、Ｂ−Ｂ断面図である。
【図４】同、サイクロン筒の底部近傍の拡大断面図であり、（ａ）は電動送風機の作動時、（ｂ）は電動送風機の停止後の状態である。
【図５】本発明の第二の実施形態を示す液体吸引装置のサイクロン筒の底部近傍の拡大断面図であり、（ａ）は電動送風機の作動時、（ｂ）は電動送風機の停止後の状態である。
【符号の説明】
６  電動機
７  ファン
８  電動送風機
９，３０  サイクロン筒
１０，３１  底壁
１１，３２  側壁
１３，３３  第一の排液孔
１４，３４  第二の排液孔
２２  貯液容器
Ｗ  汚水（液体）
【図１】
2005007066.tif 000003
【図２】
2005007066.tif 000004
【図３】
2005007066.tif 000005
【図４】
2005007066.tif 000006
【図５】
2005007066.tif 000007